【手続補正書】
【提出日】平成31年2月7日(2019.2.7)
【手続補正１】
【補正対象書類名】明細書
【補正対象項目名】０００７
【補正方法】変更
【補正の内容】
【０００７】
上述した課題を解決し、目的を達成するために、本発明にかかる精算システムは、コインラックへ投入された現金による精算処理を実行する第２の精算手段と、前記電子マネーが得られた場合には、機器の機能を利用する利用量に応じて算出された精算料金についての精算処理が前記第１の精算手段によって実行されるように制御し、前記現金が得られた場合には前記精算料金についての精算処理が前記第２の精算手段によって実行されるように制御する精算制御手段と、を備え、前記精算制御手段は、前記現金と併用できない前記電子マネーが得られている状態においてさらに前記現金が前記コインラックへ投入された場合に、前記投入された現金が返却されるように前記コインラックを制御する。
【手続補正２】
【補正対象書類名】明細書
【補正対象項目名】０００８
【補正方法】変更
【補正の内容】
【０００８】
また、本発明の情報処理装置は、機器の機能を利用する利用量に応じて算出された精算料金についての精算処理を実行するカードリーダ又はコインラックに接続された情報処理装置であって、前記カードリーダによって読み取られた電子マネーによる精算処理が前記カードリーダによって実行されるように制御し、前記コインラックへ投入された現金が得られた場合には前記精算料金についての精算処理が前記コインラックによって実行されるように制御する精算制御手段と、を備え、前記精算制御手段は、前記現金と併用できない前記電子マネーが得られている状態においてさらに前記現金が前記コインラックへ投入された場合に、前記投入された現金が返却されるように前記コインラックを制御する。
【手続補正３】
【補正対象書類名】明細書
【補正対象項目名】０００９
【補正方法】変更
【補正の内容】
【０００９】
また、本発明にかかる精算方法は、カードリーダによって読み取られた電子マネーによる精算処理を実行する第１の精算ステップと、コインラックへ投入された現金による精算処理を実行する第２の精算ステップと、前記電子マネーが得られた場合には、機器の機能を利用する利用量に応じて算出された精算料金についての精算処理が前記第１の精算ステップによって実行されるように制御し、前記現金が得られた場合には前記精算料金についての精算処理が前記第２の精算ステップによって実行されるように制御する精算制御ステップと、を含み、前記精算制御ステップは、前記現金と併用できない前記電子マネーが得られている状態においてさらに前記現金が前記コインラックへ投入された場合に、前記投入された現金が返却されるように前記コインラックを制御する。
【手続補正４】
【補正対象書類名】明細書
【補正対象項目名】００１０
【補正方法】変更
【補正の内容】
【００１０】
また、本発明にかかるプログラムは、カードリーダによって読み取られた電子マネーによる精算処理を実行する第１の精算ステップと、コインラックへ投入された現金による精算処理を実行する第２の精算ステップと、前記電子マネーが得られた場合には、機器の機能を利用する利用量に応じて算出された精算料金についての精算処理が前記第１の精算ステップによって実行されるように制御し、前記現金が得られた場合には前記精算料金についての精算処理が前記第２の精算ステップによって実行されるように制御する精算制御ステップと、をコンピュータに実行させ、前記精算制御ステップは、前記現金と併用できない前記電子マネーが得られている状態においてさらに前記現金が前記コインラックへ投入された場合に、前記投入された現金が返却されるように前記コインラックを制御する。
【手続補正５】
【補正対象書類名】特許請求の範囲
【補正対象項目名】全文
【補正方法】変更
【補正の内容】
【特許請求の範囲】
【請求項１】
カードリーダによって読み取られた電子マネーによる精算処理を実行する第１の精算手段と、
コインラックへ投入された現金による精算処理を実行する第２の精算手段と、
前記電子マネーが得られた場合には、機器の機能を利用する利用量に応じて算出された精算料金についての精算処理が前記第１の精算手段によって実行されるように制御し、前記現金が得られた場合には前記精算料金についての精算処理が前記第２の精算手段によって実行されるように制御する精算制御手段と、
を備え、
前記精算制御手段は、前記現金と併用できない前記電子マネーが得られている状態においてさらに前記現金が前記コインラックへ投入された場合に、前記投入された現金が返却されるように前記コインラックを制御する、
ことを特徴とする精算システム。
【請求項２】
前記精算制御手段は、前記電子マネー又は前記現金による精算処理において、前記精算料金の精算に不足が生じた場合に、前記電子マネー及び前記現金とは異なる種類の被精算情報により不足した精算の前記精算処理を実行させるように制御する、
ことを特徴とする請求項１に記載の精算システム。
【請求項３】
前記精算制御手段は、前記電子マネーによる精算処理が可能なまま、前記コインラックへ投入された現金を得た場合に、前記現金の返却指示を前記コインラックに対して行う、
ことを特徴とする請求項１または２に記載の精算システム。
【請求項４】
前記精算制御手段は、前記機器の機能の利用を開始してから終了するまでの間に利用した前記利用量に応じた前記精算料金のうち、一部の前記精算料金についての精算処理は前記第１の精算手段によって実行されるように制御し、続けて残りの前記精算料金についての精算処理は前記第２の精算手段によって実行されるように制御する、
ことを特徴とする請求項１に記載の精算システム。
【請求項５】
前記機器の機能とは、プリント機能又はコピー機能のいずれかである、
ことを特徴とする請求項１に記載の精算システム。
【請求項６】
機器の機能を利用する利用量に応じて算出された精算料金についての精算処理を実行するカードリーダ又はコインラックに接続された情報処理装置であって、
前記カードリーダによって読み取られた電子マネーによる精算処理が前記カードリーダによって実行されるように制御し、前記コインラックへ投入された現金が得られた場合には前記精算料金についての精算処理が前記コインラックによって実行されるように制御する精算制御手段と、
を備え、
前記精算制御手段は、前記現金と併用できない前記電子マネーが得られている状態においてさらに前記現金が前記コインラックへ投入された場合に、前記投入された現金が返却されるように前記コインラックを制御する、
ことを特徴とする情報処理装置。
【請求項７】
前記精算制御手段は、前記電子マネー又は前記現金による精算処理において、前記精算料金の精算に不足が生じた場合に、前記電子マネー及び前記現金とは異なる種類の被精算情報により不足した精算の前記精算処理を実行させるように制御すること、
を特徴とする請求項６に記載の情報処理装置。
【請求項８】
前記精算制御手段は、前記電子マネーによる精算処理が可能なまま、前記コインラックへ投入された現金を得た場合に、前記現金の返却指示を前記コインラックに対して行う、
ことを特徴とする請求項６または７に記載の情報処理装置。
【請求項９】
カードリーダによって読み取られた電子マネーによる精算処理を実行する第１の精算ステップと、
コインラックへ投入された現金による精算処理を実行する第２の精算ステップと、
前記電子マネーが得られた場合には、機器の機能を利用する利用量に応じて算出された精算料金についての精算処理が前記第１の精算ステップによって実行されるように制御し、前記現金が得られた場合には前記精算料金についての精算処理が前記第２の精算ステップによって実行されるように制御する精算制御ステップと、
を含み、
前記精算制御ステップは、前記現金と併用できない前記電子マネーが得られている状態においてさらに前記現金が前記コインラックへ投入された場合に、前記投入された現金が返却されるように前記コインラックを制御する、
ことを特徴とする精算方法。
【請求項１０】
前記精算制御ステップは、前記電子マネー又は前記現金による精算処理において、前記精算料金の精算に不足が生じた場合に、前記電子マネー及び前記現金とは異なる種類の被精算情報により不足した精算の前記精算処理を実行させるように制御する、
ことを特徴とする請求項９に記載の精算方法。
【請求項１１】
前記精算制御ステップは、前記電子マネーによる精算処理が可能なまま、前記コインラックへ投入された現金を得た場合に、前記現金の返却指示を前記コインラックに対して行う、
ことを特徴とする請求項９または１０に記載の精算方法。
【請求項１２】
カードリーダによって読み取られた電子マネーによる精算処理を実行する第１の精算ステップと、
コインラックへ投入された現金による精算処理を実行する第２の精算ステップと、
前記電子マネーが得られた場合には、機器の機能を利用する利用量に応じて算出された精算料金についての精算処理が前記第１の精算ステップによって実行されるように制御し、前記現金が得られた場合には前記精算料金についての精算処理が前記第２の精算ステップによって実行されるように制御する精算制御ステップと、
をコンピュータに実行させ、
前記精算制御ステップは、前記現金と併用できない前記電子マネーが得られている状態においてさらに前記現金が前記コインラックへ投入された場合に、前記投入された現金が返却されるように前記コインラックを制御する、
ためのプログラム。
【請求項１３】
前記精算制御ステップは、前記電子マネー又は前記現金による精算処理において、前記精算料金の精算に不足が生じた場合に、前記電子マネー及び前記現金とは異なる種類の被精算情報により不足した精算の前記精算処理を実行させるように制御する、
ことを特徴とする請求項１２に記載のプログラム。
【請求項１４】
前記精算制御ステップは、前記電子マネーによる精算処理が可能なまま、前記コインラックへ投入された現金を得た場合に、前記現金の返却指示を前記コインラックに対して行う、
ことを特徴とする請求項１２または１３に記載のプログラム。
【請求項１５】
カードリーダによって読み取られた電子マネーによる精算処理を実行可能な第１の精算手段と、
コインラックへ投入された現金による精算処理を実行可能な第２の精算手段と、
前記電子マネーが得られた場合には、機器の機能を利用する利用量に応じて算出された精算料金についての精算処理が前記第１の精算手段によって実行されるように制御し、前記現金が入金された場合には、前記精算料金についての精算処理が前記第２の精算手段によって実行されるように制御する精算制御手段と、
を備え、
前記精算制御手段は、前記コインラックへ前記現金が先に入金されている場合に前記電子マネーと同時に利用できないことを判断する、
ことを特徴とする精算システム。
【請求項１６】
カードリーダによって読み取られた電子マネーによる精算処理を実行可能な第１の精算ステップと、
コインラックへ投入された現金による精算処理を実行可能な第２の精算ステップと、
前記電子マネーが得られた場合には、機器の機能を利用する利用量に応じて算出された精算料金についての精算処理が前記第１の精算ステップによって実行されるように制御し、前記現金が入金された場合には、前記精算料金についての精算処理が前記第２の精算ステップによって実行されるように制御する精算制御ステップと、
を含み、
前記精算制御ステップは、前記コインラックへ前記現金が先に入金されている場合に前記電子マネーと同時に利用できないことを判断する、
ことを特徴とする精算方法。